(57)【特許請求の範囲】
【請求項１】
容器と、該容器の口筒部に螺着され、頂板に注出口を設けたキャップと、該キャップに取着され、頂壁下面に注出口に嵌合する栓体を設けた被せ蓋からなる容器において、
キャップは、バネの装着により被せ蓋を開蓋方向に付勢するようにした蝶番機構と、押圧操作により被せ蓋を開蓋する蓋係止部材とを具備しており、
前記蓋係止部材は、キャップの支持壁の端縁に立設された支持板と、該支持板の外側面に形成された押え部と、支持板上端部に形成され内側に突出する楔状突出片と外側に突出する係止フックとを具えた係止部とからなり、
被せ蓋の頂壁には、蝶番機構に対向する反対側の周壁に沿って窓穴が穿設され、該窓穴に面する周壁下端に前記係止フックに係合する係合片が突設されており、
前記蓋係止部材を押圧したとき、楔状突出片が窓穴の内縁の下面に係合して楔作用により被せ蓋を上方に押し上げ、係止フックが係合片から外され、被せ蓋が開蓋されて注出口を開口するようにしたことを特徴とするキャップにおける被せ蓋開閉装置。
【発明の詳細な説明】
【０００１】
【発明の属する技術分野】
本発明は、キャップにおける被せ蓋開閉装置、とくに被せ蓋開蓋用の楔状突出片を具えた蓋係脱機構と開蓋用のバネを装着した蝶番機構とを備えたキャップにおける被せ蓋開閉装置に関する。
【０００２】
【発明が解決しようとする課題】
容器におけるキャップの被せ蓋のヒンジ式開閉装置として、蝶番ピンにねじりバネを捲回して、バネ力で自動的に開蓋するようにしたものは、従来より知られている。
【０００３】
しかしながら、容器の密封性を高めるため、被せ蓋の下面にキャップ頂板に設けた注出孔に嵌合される栓体を取り付け、該栓体で注出孔を密封しょうとする場合、栓体と注出孔との間に一定の締め代をとって嵌合させるようにするので、バネ力だけでは栓体と注出孔の嵌合を外す力が十分でないという問題があった。
そのため、開蓋始めには、被せ蓋を手指で開くようにしなければならないので、被せ蓋の開閉が完全に自動的に出来ず煩わしいという問題があった。
【０００４】
本発明は、上記の問題を解決することを課題として、開蓋初期において、蓋係止部材を押圧操作することにより、被せ蓋の栓体とキャップの注出口との嵌合を外し、その後に被せ蓋を開蓋用のバネの力で自動的に開蓋するようにしたキャップにおける被せ蓋開閉装置を提供することを目的とする。
【０００５】
【課題を解決する手段】
本発明は、上記の課題を解決するために、キャップにおける被せ蓋開閉装置として、容器と、該容器の口筒部に螺着され、頂板に注出口を設けたキャップと、該キャップに取着され、頂壁下面に注出口に嵌合する栓体を設けた被せ蓋からなる容器において、キャップは、バネの装着により被せ蓋を開蓋方向に付勢するようにした蝶番機構と、押圧操作により被せ蓋を開蓋する蓋係止部材とを具備しており、前記蓋係止部材は、キャップの支持壁の端縁に立設された支持板と、該支持板の外側面に形成された押え部と、支持板上端部に形成され内側に突出する楔状突出片と外側に突出する係止フックとを具えた係止部とからなり、被せ蓋の頂壁には、蝶番機構に対向する反対側の周壁に沿って窓穴が穿設され、該窓穴に面する周壁下端に前記係止フックに係合する係合片が突設されており、前記蓋係止部材を押圧したとき、楔状突出片が窓穴の内縁の下面に係合して楔作用により被せ蓋を上方に押し上げ、係止フックが係合片から外され、被せ蓋が開蓋されて注出口を開口するようにしたことを特徴とする構成を採用する。
【０００６】
【発明の実施の形態】
次に、本発明の実施形態について、図面を参照して説明する。
図１において、Ａは容器、Ｂはキャップ、Ｃは被せ蓋、Ｄは蝶番機構、Ｅは蓋係脱機構である。
容器Ａは、口筒部１と胴部２とを有しており、口筒部１外周にはネジ３が螺設されている。
【０００７】
図２に示すように、キャップＢは、頂板４と、該頂板４の周縁から垂設された外筒５と、該外筒５の内側に頂板４下面から垂設された螺着筒６とからなっている。
頂板４の中央には、頂板４上面より突出する口縁７を有する注出口８が設けられている。
【０００８】
頂板４の周辺部の所定個所には、蝶番機構Ｄを取着するために頂板４と外筒５に切込み９が形成され、切欠み９に面する頂板４の端縁から内側壁１０と前後に対向する前後側壁１１ａ，ｂが垂設され、各側壁１０，１１の下端には、各側壁１０，１１と外筒５の切込み９上端縁を結ぶ段壁１２が連設されている。
内側壁１０にはバネ支持孔１３が穿設されており、前後の側壁１１ａ，１１ｂには側壁と外筒５を貫通するピン支持孔１４が穿設されている。
【０００９】
頂板４の切込み９に対向する反対側の位置には、頂板４の外周端から螺着筒６に至る蓋係脱機構用の切込み１５が形成され、切込み１５に面する頂板４の端縁から螺着筒６の下端に至る前後側壁１６ａ，ｂが垂設され、その下端には、前後側壁１６ａ，ｂと外筒５の切込み１５上端縁とを結ぶ段壁１７が連設され、該段壁１７は蓋係止部材２０の支持壁となっている。
【００１０】
段壁１７の内方端は、外筒５と螺着筒６とのほぼ中間に位置して、前後方向に延びる直線状の端縁２１となっており、端縁２１には、端縁接続部を軸に径方向に屈曲し前後側壁１６ａ，ｂの間で揺動可能な支持板２２が立設されている。
支持板２２の外側の面には、押え部２３が形成されており、支持板２２上端部には、内側に楔状突出片２４が設けられ、その外側には上面を傾斜面２５とした係止フック２６が突設されている。
楔状突出片２４および係止フック２６によって蓋係止部材２０の係止部２０ａが構成されている。
【００１１】
螺着筒６の内周には、容器口筒部１のネジ３に螺合するネジ２７が刻設されており、キャップＢを容器Ａに螺着できるようにしている。
【００１２】
図３に示すように、被せ蓋Ｃは、キャップＢの頂板４を覆う頂壁３０と側周壁３１とからなっており、頂壁３０の中央には、注出口８に一定の締め代をもって嵌合する栓体３２が突設されている。
被せ蓋Ｃの所定位置には、頂壁３０から蝶番機構Ｄの取付片３３が垂設されており、該取付片３３の所定位置にピン挿入孔３４が穿設されている。
取付片３３の前後側面の一方の側面には、バネ受け３５が突設されており、その外周面は、取付片３３の外周面と同一となっている。
【００１３】
図４，５に示すように、取付片３３とその側面のバネ受け３５は、キャップＢの切込み９の前後側壁１１ａ，ｂの間で揺動可能となっており、取付片３３のピン挿入孔３４および前後側壁１１ａ，ｂと外筒５を貫通するピン支持孔１４ａ，ｂには、蝶番ピン３６が嵌挿されており、取付片３３を介して被せ蓋Ｃが廻動可能となっている。
【００１４】
蝶番ピン３６には、一端をキャップ内側壁１０に穿設されたバネ支持孔１３に支持され、他端をバネ受け３５に弾接するねじりバネ３７が捲回され、被せ蓋Ｃが開蓋方向に廻動するよう付勢されている。
バネ受け３５を突設した取付片３３と、ねじりバネ３７を捲回した蝶番ピン３６、ピン支持孔１４を穿設した前後側壁１１ａ，ｂによって、被せ蓋Ｃの蝶番機構Ｄが形成されている。
【００１５】
図３に示すように、被せ蓋Ｃの頂壁３０の取付片３３に対向する反対側の位置には、側周壁３１に沿って窓穴４０が穿設されている。
窓穴４０の下方には、側周壁３１から内方に突出し、蓋係止部材２０の係止フック２６に係合する下面を傾斜面４１とした係合片４２が突設されており、窓穴４０の内側の端縁４３の下端は、楔状突出片２４に係合されるようになっている。
【００１６】
図１，５に示すように、前記蓋係止部材２０の楔状突出片２４および係止フック２６からなる係止部２０ａは、窓穴４０内に揺動可能に遊嵌されるようになっており、楔状突出片２４は、キャップＢの頂板４と被せ蓋Ｃの頂壁３０との間に挿入可能な位置に形成されている。
係止フック２６は、楔状突出片２４が内方への押圧により頂板４と被せ蓋Ｃの頂壁３０との間に挿入される途中で、窓穴４０の係合片４２から外れるように形成されている。
蓋係止部材２０と被せ蓋Ｃの窓穴４０、係合片４２等によって、被せ蓋Ｃの蓋係脱機構Ｅが構成されている。
【００１７】
次に、被せ蓋Ｃの開蓋作用について、図１，５，６を参照して説明する。
先ず、内容物を収容した容器Ａの口筒部１に、キャップＢの螺着筒６を口筒部１に螺合して被せ蓋Ｃを閉じたキャップＢを容器Ａに螺着する。
【００１８】
被せ蓋Ｃを閉じるときは、被せ蓋Ｃをねじりバネ３７に抗して押圧すると、窓穴４０の係合片４２下面の傾斜面４１が、係止フック２６上面の傾斜面２５に係合し、蓋係止部材２０の係止部２０ａを被せ蓋Ｃの中心方向へ押出すよう支持板２２を屈曲させ、係合片４２が係止フック２６を乗り越えると、蓋係止部材２０の支持板２２はその弾力により復元して、係止フック２６が係合片４２と係合し閉蓋される。
それと同時に、被せ蓋Ｃの栓体３２がキャップＢの頂板４の注出口８に嵌合し容器Ａを密封する（図１参照）。
【００１９】
被せ蓋Ｃを開くときは、蓋係脱機構Ｅの蓋係止部材２０の押え部２３を指先で押すと、蓋係止部材２０が窓穴４０内において被せ蓋Ｃの中心方向へ揺動し、楔状突出片２４がキャップＢの頂板４と被せ蓋Ｃの頂壁３０との間に押し込まれ、栓体３２と注出口８との締め代嵌合に抗して被せ蓋Ｃを押し上げ、栓体３２と注出口８との嵌合を外す（図６参照）。
楔状突出片２４がキャップ頂板４と被せ蓋Ｃの頂壁３０との間に所定量押し込まれたところで、係合片４２が係止フック２６から外れ、被せ蓋Ｃは蝶番機構Ｄのねじりバネ３７によって自動的に開蓋される（図５参照）。
【００２０】
前記実施形態では、被せ蓋の蝶番機構として、ねじりバネを捲回した蝶番ピンを用い開閉するようにしているが、被せ蓋の蝶番機構として周知の三点ヒンジを使用することもできる。
【００２１】
【発明の効果】
本発明は、上記のように構成されているから、次の効果を奏する。
蓋係止部材に楔状突出片を設けているので、蓋係止部材を押圧することにより楔状突出片をキャップ頂板と被せ蓋の頂壁との間に押し込み、頂壁の栓体をキャップ頂板の注出口から確実に外すことができ、同時に係合片と係止フックとの係合が外され、被せ蓋を自動的に開くことができる。
【図面の簡単な説明】
【図１】本発明の容器の断面正面図である。
【図２】キャップの説明図で、（ａ）は平面図、（ｂ）は断面正面図、（ｃ）は底面図である
【図３】被せ蓋の説明図で、（ａ）は断面正面図、（ｂ）は底面図である
【図４】容器の側面図である。
【図５】被せ蓋開蓋時の容器の説明図で、（ａ）は断面正面図、（ｂ）図（ａ）におけるＡ−Ａ線で被せ蓋の一部を断面とした平面図である。
【図６】蓋係脱機構の蓋係止部材を押圧した状態の説明図である。
【符号の説明】
Ａ        容器
Ｂ        キャップ
Ｃ        被せ蓋
Ｄ        蝶番機構
Ｅ        蓋係脱機構
１        口筒部
２        胴部
３        ネジ
４        頂板
５        外筒
６        螺着筒
８        注出口
９，１５  切込み
１０      内側壁
１１ａ，ｂ、１６ａ，ｂ    前後側壁
１２，１７    段壁
１４ａ，ｂ    ピン支持孔
２０      蓋係止部材
２０ａ    係止部
２２      支持板
２３      押え部
２４      楔状突出片
２５      傾斜面
２６      係止フック
３０      頂壁
３１      側周壁
３２      栓体
３３      取付片
３４      ピン挿入孔
３５      バネ受け
３６      蝶番ピン
３７      ねじりバネ
４０      窓穴
４１      傾斜面
４２      係合片
４３      端縁
【図１】
0004297228.tif 000002
【図２】
0004297228.tif 000003
【図３】
0004297228.tif 000004
【図４】
0004297228.tif 000005
【図５】
0004297228.tif 000006
【図６】
0004297228.tif 000007